(57)【特許請求の範囲】
【請求項１】
ループネットワークにおける無線装置の切り替え方法であって、
前記無線装置は、コア無線装置及び遠隔無線装置を含み、
前記コア無線装置は、第１ポート及び第２ポートを有し、
前記遠隔無線装置は、少なくとも第１遠隔無線装置及び第２遠隔無線装置を含み、
前記コア無線装置は、前記第１ポートを介して前記第１遠隔無線装置と接続され、且つ、前記第２ポートを介して前記第２遠隔無線装置と接続され、
前記コア無線装置が、前記コア無線装置の第１ポート及び第２ポートそれぞれのラインビット誤り率が所定の閾値範囲内にあるかどうかを検出し、ラインビット誤り率が所定の閾値範囲内にある場合、前記コア無線装置の第１ポートを介して前記第１遠隔無線装置のスレーブポートに第１有効制御文字を送信し、且つ、前記コア無線装置の第２ポートを介して前記第２遠隔無線装置のスレーブポートに前記第１有効制御文字とは異なる第２有効制御文字を送信し、ラインビット誤り率が所定の閾値範囲内にない場合、前記コア無線装置のそれぞれのポートを介して、前記第１遠隔無線装置及び前記第２遠隔無線装置のスレーブポートにそれぞれ無効制御文字を送信することと、
各遠隔無線装置が、前記遠隔無線装置のマスタポートの受信側におけるラインビット誤り率が所定の閾値範囲内にあるかどうかを検出し、ラインビット誤り率が所定の閾値範囲内にある場合、スレーブポートで受信された第１有効制御文字または第２有効制御文字をマスタポートに転送し、ラインビット誤り率が所定の閾値範囲内にない場合、マスタポートに無効制御文字を送信し、前記遠隔無線装置が、前記遠隔無線装置のスレーブポートに無効制御文字を連続的に送信することと
を含むことを特徴とする切り替え方法。
【請求項２】
非接続状態において、前記遠隔無線装置の第１ポートで前記第１有効制御文字が受信され、前記遠隔無線装置の第２ポートで、前記第１有効制御文字よりも優先度の低い前記第２有効制御文字が受信された場合、前記遠隔無線装置が、前記遠隔無線装置の第１ポートをスレーブポートとし、前記遠隔無線装置の第２ポートをマスタポートとする
ことをさらに含むことを特徴とする請求項１に記載の切り替え方法。
【請求項３】
非接続状態において、前記遠隔無線装置の第１ポートで有効制御文字が受信され、且つ、前記遠隔無線装置の第２ポートで有効制御文字が受信されかった場合、前記遠隔無線装置が、前記遠隔無線装置の第１ポートをスレーブポートとし、前記遠隔無線装置の第２ポートをマスタポートとする
ことをさらに含むことを特徴とする請求項１または２に記載の切り替え方法。
【請求項４】
前記遠隔無線装置は、さらに、１以上の第３遠隔無線装置を含み、
前記１以上の第３遠隔無線装置は、それぞれ相互に接続され、且つ、第１遠隔無線装置及び第２遠隔無線装置と直列的に接続される
ことを特徴とする請求項３に記載の切り替え方法。
【請求項５】
前記遠隔無線装置が、前記遠隔無線装置のスレーブポートの受信側におけるラインビット誤り率が所定の閾値範囲内にないことを検出した場合、または、前記遠隔無線装置のスレーブポートで有効制御文字が検出されなかった場合、前記遠隔無線装置が、接続状態から非接続状態に移行することをさらに含む
ことを特徴とする請求項３に記載の方法。
【請求項６】
前記遠隔無線装置が非接続状態にある場合、前記遠隔無線装置が、前記遠隔無線装置の２つのポートから無効制御文字を送信することを特徴とする
請求項５に記載の切り替え方法。
【請求項７】
前記コア無線装置は、ビルディングベースバンド処理ユニット（ＢＢＵ：Building Baseband Unit）であり、前記遠隔無線装置は、遠隔無線ユニット（ＲＲＵ：Remote Radio Unit）である
ことを特徴とする請求項１〜６のいずれか１項に記載の切り替え方法。
【請求項８】
ループネットワークにおける無線装置の切り替えシステムであって、
前記無線装置は、コア無線装置及び遠隔無線装置を含み、
前記コア無線装置は、第１ポート及び第２ポートを有し、
前記遠隔無線装置は、少なくとも第１遠隔無線装置及び第２遠隔無線装置を含み、
前記コア無線装置は、前記第１ポートを介して前記第１遠隔無線装置と接続され、且つ、前記第２ポートを介して前記第２遠隔無線装置と接続され、
前記コア無線装置は、前記コア無線装置の第１ポート及び第２ポートそれぞれのラインビット誤り率が所定の閾値範囲内にあるかどうかを検出し、ラインビット誤り率が所定の閾値範囲内にある場合、前記コア無線装置の第１ポートを介して前記第１遠隔無線装置のスレーブポートに第１有効制御文字を送信し、且つ、前記コア無線装置の第２ポートを介して第２遠隔無線装置のスレーブポートに、第１有効制御文字とは異なる第２有効制御文字を送信し、ラインビット誤り率が所定の閾値範囲内にない場合、前記コア無線装置のそれぞれのポートを介して、前記第１遠隔無線装置及び前記第２遠隔無線装置のそれぞれのスレーブポートに無効制御文字を送信することに用いられ、
前記遠隔無線装置は、前記遠隔無線装置のマスタポートの受信側におけるラインビット誤り率が所定の閾値範囲内にあるかどうかを検出し、ラインビット誤り率が所定の閾値範囲内にある場合、スレーブポートで受信された第１有効制御文字又は第２有効制御文字をマスタポートに転送し、ラインビット誤り率が所定の閾値範囲内にない場合、マスタポートに無効制御文字を送信することに用いられ、且つ、前記遠隔無線装置のスレーブポートに無効制御文字を連続的に送信することに用いられる
ことを特徴とする切り替えシステム。
【請求項９】
非接続状態において、前記遠隔無線装置は、前記遠隔無線装置の第１ポートで第１有効制御文字を受信し、且つ、前記遠隔無線装置の第２ポートで前記第１有効制御文字よりも優先度の低い第２有効制御文字を受信したことを検出した場合、前記遠隔無線装置の第１ポートをスレーブポートとし、前記遠隔無線装置の第２ポートをマスタポートとすることにさらに用いられる
ことを特徴とする請求項８に記載の切り替えシステム。
【請求項１０】
非接続状態において、前記遠隔無線装置は、前記遠隔無線装置の第１ポートで有効制御文字を受信し、且つ、前記遠隔無線装置の第２ポートで有効制御文字を受信しなかったことを検出した場合、前記遠隔無線装置の第１ポートをスレーブポートとし、前記遠隔無線装置の第２ポートをマスタポートとすることにさらに用いられる
ことを特徴とする請求項８または９記載の切り替えシステム。
【請求項１１】
前記遠隔無線装置は、さらに、１以上の第３遠隔無線装置を含み、
前記１以上の第３遠隔無線装置は、それぞれ相互に接続され、且つ、第１遠隔無線装置及び第２遠隔無線装置と直列的に接続される
ことを特徴とする請求項８または９に記載の切り替えシステム。
【請求項１２】
前記遠隔無線装置は、前記遠隔無線装置のスレーブポートの受信側におけるラインビット誤り率が所定の閾値範囲内にないことを検出した場合、または、前記遠隔無線装置のスレーブポートで有効制御文字を受信しなかったことを検出した場合、接続状態から非接続状態に移行することにさらに用いられる
ことを特徴とする請求項１０に記載の切り替えシステム。
【請求項１３】
前記遠隔無線装置は、前記遠隔無線装置が非接続状態にあると判断した場合、前記遠隔無線装置の２つのポートから無効制御文字を送信することにさらに用いられる
ことを特徴とする請求項１２に記載の切り替えシステム。
【請求項１４】
前記コア無線装置は、ビルディングベースバンド処理ユニット（ＢＢＵ：Building Baseband Unit）であり、前記遠隔無線装置は、遠隔無線ユニット（ＲＲＵ：Remote Radio Unit）である
ことを特徴とする請求項８〜１２のいずれか１項に記載の切り替えシステム。
【請求項１５】
ビルディングベースバンド処理ユニットであって、
検出ユニット、第１送信ユニット、第２送信ユニット及び少なくとも２つのポートを含み、
前記少なくとも２つのポートは、遠隔無線ユニットを含むループネットワークに接続されるインタフェースとして用いられ、
検出ユニットは、ループネットワークを構成する２つのポートそれぞれのラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニットをトリガすることに用いられ、
第１送信ユニットは、ループネットワークを構成する２つのポートのうち一方のポートに第１有効制御文字を送信し、他方のポートに前記第１有効制御文字とは異なる第２有効制御文字を送信することに用いられ、
第２送信ユニットは、ループネットワークを構成する２つのポートに無効制御文字を送信することに用いられる
ことを特徴とするビルディングベースバンド処理ユニット。
【請求項１６】
遠隔無線ユニットであって、
検出ユニット、第１送信ユニット、第２送信ユニット及び第３送信ユニットを含み、
検出ユニットは、マスタポートの受信側におけるラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニット及び第３送信ユニットをトリガすることに用いられ、
第１送信ユニットは、スレーブポートで受信された第１有効制御文字又は第２有効制御文字をマスタポートに送信することに用いられ、
第２送信ユニットは、マスタポートに無効制御文字を送信することに用いられ、
第３送信ユニットは、スレーブポートに無効制御文字を連続的に送信することに用いられることを特徴とする遠隔無線ユニット。
【請求項１７】
前記遠隔無線ユニットは、設定ユニットをさらに含み、
前記遠隔無線ユニットが非接続状態にある場合、
前記検出ユニットは、前記遠隔無線ユニットの第１ポートで第１有効制御文字を受信し、前記遠隔無線ユニットの第２ポートで第２有効制御文字を受信したことを検出した場合、設定ユニットをトリガすることにさらに用いられ、
設定ユニットは、第１ポートをスレーブポートに設定し、第２ポートをマスタポートに設定することに用いられる
ことを特徴とする請求項１６に記載の遠隔無線ユニット。
【請求項１８】
前記遠隔無線ユニットが非接続状態にある場合、
前記検出ユニットは、前記遠隔無線ユニットの第１ポートで有効制御文字を受信し、且つ第２ポートで有効制御文字を受信しなかったことを検出した場合、設定ユニットをトリガすることにさらに用いられ、
設定ユニットは、第１ポートをスレーブポートに設定し、第２ポートをマスタポートに設定することにさらに用いられる
ことを特徴とする請求項１７に記載の遠隔無線ユニット。
【請求項１９】
前記遠隔無線ユニットは、移行ユニットをさらに含み、
前記検出ユニットは、前記遠隔無線ユニットのスレーブポートの受信側におけるラインビット誤り率が所定の閾値範囲内にないことを検出した場合、移行ユニットをトリガすることにさらに用いられ、
移行ユニットは、前記遠隔無線ユニットを接続状態から非接続状態に移行させることに用いられる
ことを特徴とする請求項１７または１８に記載の遠隔無線ユニット。
【請求項２０】
前記遠隔無線ユニットは、移行ユニットをさらに含み、
前記検出ユニットは、前記遠隔無線ユニットのスレーブポートで有効制御文字を受信しなかったことを検出した場合、移行ユニットをトリガすることにさらに用いられ、
移行ユニットは、前記遠隔無線ユニットを接続状態から非接続状態に移行させることにさらに用いられる
ことを特徴とする請求項１７または１８に記載の遠隔無線ユニット。
【発明の詳細な説明】
【技術分野】
【０００１】
本発明は、ループネットワークにおける無線装置の切り替え技術に関し、特に無線通信ネットワークにおける遠隔無線ユニット（ＲＲＵ：Remote Radio Unit）及びビルディングベースバンド処理ユニット（ＢＢＵ：Building Baseband Unit）から構成されたループネットワーク構造における切り替え方法及び切り替えシステムに関する。
【背景技術】
【０００２】
より良いネットワークガバレッジを実現するために、オフィスビル、エレベータ内のようなネットワークガバレッジのブラインドエリアに分散型基地局構造が設置される。分散型基地局構造は、主にＲＲＵとＢＢＵを含み、ＲＲＵとＢＢＵの間は光ファイバで接続される。ＲＲＵはさらに同軸ケーブルや、電力スプリッタ（カプラ）などを介してアンテナに接続される。１つのＢＢＵは、複数のＲＲＵをサポートすることができる。ＢＢＵは、主にコンピュータルームに置かれるが、ＲＲＵは、信号カバレッジの要求に応じて対応する場所、例えば各階、エレベータ内に取り付けられる。ＢＢＵは、主に、ベースバンドデータの処理、ＲＲＵとのデータ交換、及び基地局コントローラ（ＢＳＣ：Base Station Controller）とのデータ交換を行う。ＲＲＵは、主に、リンクデータのＲＦ処理及び移動端末とのデータ交換を行う。
【０００３】
従来のＲＲＵとＢＢＵの間の接続は、いずれも分散型が用いられおり、ある分散リンク上には、一般的に複数のＲＲＵが接続されている。一旦、ＢＢＵに接続されたリンク上のある特定のＲＲＵに接続障害が発生したり、ＲＲＵ間、あるいは、ＲＲＵとＢＢＵの間のリンクに接続障害が発生したりすると、障害が発生したＲＲＵまたは障害が発生したリンクの次のＲＲＵが非接続状態となってしまうため、隣接するＲＲＵの接続障害を誘発してしまうことになる。したがって、現在のＲＲＵネットワーキング方式は、簡単であるが、そのネットワーク構造が比較的壊れやすく、一旦あるリンクにネットワーク障害が発生すると、一部のＲＲＵに接続障害が発生してしまう可能性がある。
【発明の概要】
【発明が解決しようとする課題】
【０００４】
これに鑑みて、本発明の主な目的は、ループネットワーク構造における冗長切り替えによる特徴を十分に利用することにより、ＢＢＵ及びＲＲＵなどのネットワーク要素のそれぞれの頑健性を保証することができ、ネットワークの安定性を強化させることができるループネットワークにおける無線装置の切り替え方法および切り替えシステムを提供することにある。
【課題を解決するための手段】
【０００５】
上記目的を達成するために、本発明の技術的なスキームは、以下のように実現される。
ループネットワークにおける無線装置の切り替え方法であって、
前記無線装置は、コア無線装置及び遠隔無線装置を含み、
前記コア無線装置及び２つ以上の前記遠隔無線装置は、前記コア無線装置の２つのポートを介して接続されてループネットワークを構成し、
前記コア無線装置が、前記コア無線装置の２つのポートそれぞれのラインビット誤り率が所定の閾値範囲内にあることを検出した場合、２つのポートからそれぞれ異なる有効制御文字を送信し、ラインビット誤り率が所定の閾値範囲内にないことを検出した場合、無効制御文字を送信することと、
前記遠隔無線装置が、前記遠隔無線装置のマスタポートの受信側におけるラインビット誤り率が所定の閾値範囲内にあることを検出した場合、スレーブポートで受信された有効制御文字をマスタポートに転送し、ラインビット誤り率が所定の閾値範囲内にないことを検出した場合、マスタポートに無効制御文字を送信し、前記遠隔無線装置がスレーブポートに無効制御文字を連続的に送信することと
を含む。
【０００６】
好ましくは、前記切り替え方法は、
非接続状態において、前記遠隔無線装置のうちの１つのポートで２つの異なる有効制御文字が受信され、別の１つのポートで別の１つの有効制御文字が受信された場合、優先度の高い有効制御文字を受信したポートをスレーブポートとし、別のポートをマスタポートとすることをさらに含む。
【０００７】
好ましくは、前記切り替え方法は、
非連続状態において、前記遠隔無線装置のうちの１つのポートで有効制御文字が受信され、且つ別の１つのポートで有効制御文字が受信されなかった場合、前記遠隔無線装置が、有効制御文字を受信したポートをスレーブポートとし、別のポートをマスタポートとすることをさらに含む。
【０００８】
好ましくは、前記切り替え方法は、
前記遠隔無線装置が、前記遠隔無線装置のスレーブポートの受信側におけるラインビット誤り率が所定の閾値範囲内にないことを検出した場合、前記無線装置が接続状態から非接続状態に移行することをさらに含む。
【０００９】
好ましくは、前記切り替え方法は、
前記遠隔無線装置のスレーブポートで有効制御文字が検出されなかった場合、前記遠隔無線装置が接続状態から非接続状態に移行することをさらに含む。
【００１０】
好ましくは、前記遠隔無線装置が非接続状態にある場合、前記遠隔無線装置が、前記遠隔無線装置の２つのポートから無効制御文字を送信する。
【００１１】
好ましくは、前記コア無線装置は、ＢＢＵであり、前記遠隔無線装置は、ＲＲＵである。
【００１２】
ループネットワークにおける無線装置の切り替えシステムであって、
前記無線装置は、コア無線装置及び遠隔無線装置を含み、
前記コア無線装置及び２つ以上の前記遠隔無線装置は、前記コア無線装置の２つのポートを介して接続されたループネットワークを構成し、
前記コア無線装置は、前記コア無線装置の２つのポートのそれぞれのラインビット誤り率が所定の閾値範囲にあることを検出した場合、２つのポートからそれぞれ異なる有効制御文字を送信し、ラインビット誤り率が所定の閾値範囲内にないことを検出した場合、無効制御文字を送信することに用いられ、
前記遠隔無線装置は、前記遠隔無線装置のマスタポートの受信側におけるラインビット誤り率が所定の閾値範囲内にあることを検出した場合、スレーブポートで受信された有効制御文字をマスタポートに転送し、ラインビット誤り率が所定の閾値範囲内にないことを検出した場合、マスタポートに無効制御文字を送信することに用いられ、且つ、スレーブポートに無効制御文字を連続的に送信することに用いられる。
【００１３】
好ましくは、非接続状態において、前記遠隔無線装置は、前記遠隔無線装置のうちの１つのポートで１つの有効制御文字を受信し、別の１つのポートで別の１つの有効制御文字を受信したことを検出した場合、優先度の高い有効制御文字を受信したポートをスレーブポートとし、別のポートをマスタポートとすることにさらに用いられる。
【００１４】
好ましくは、非接続状態において、前記遠隔無線装置は、前記遠隔無線装置のうちの１つのポートで有効制御文字を受信し、且つ、別の１つのポートで有効制御文字を受信しなかったことを検出した場合、有効制御文字を受信したポートをスレーブポートとし、別のポートをマスタポートとすることにさらに用いられる。
【００１５】
好ましくは、前記遠隔無線装置は、前記遠隔無線装置のスレーブポートの受信側におけるラインビット誤り率が所定の閾値範囲内にないことを検出した場合、接続状態から非接続状態に移行することにさらに用いられる。
【００１６】
好ましくは、前記遠隔無線装置は、前記遠隔無線装置のスレーブポートで有効制御文字を受信しなかったことを検出した場合、接続状態から非接続状態に移行することにさらに用いられる。
【００１７】
好ましくは、前記遠隔無線装置は、前記遠隔無線装置が非接続状態にあると判断した場合、前記遠隔無線装置の２つのポートから無効制御文字を送信することにさらに用いられる。
【００１８】
好ましくは、前記コア無線装置は、ＢＢＵであり、前記遠隔無線装置は、ＲＲＵである。
【００１９】
ビルディングベースバンド処理ユニットであって、
検出ユニット、第１送信ユニット、第２送信ユニット及び少なくとも２つのポートを含み、
前記少なくとも２つのポートは、遠隔無線ユニットを含むループネットワークに接続されるインタフェースとして用いられ、
検出ユニットは、ループネットワークを構成する２つのポートのラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニットをトリガすることに用いられ、
第１送信ユニットは、ループネットワークを構成する２つのポートにそれぞれ異なる有効制御文字を送信することに用いられ、
第２送信ユニットは、ループネットワークを構成する２つのポートに無効制御文字を送信することに用いられる。
【００２０】
遠隔無線ユニットであって、
検出ユニット、第１送信ユニット、第２送信ユニット及び第３送信ユニットを含み、
検出ユニットは、マスタポートの受信側におけるラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニットをトリガすることに用いられ、
第１送信ユニットは、スレーブポートで受信された有効制御文字をマスタポートに送信することに用いられ、
第２送信ユニットは、マスタポートに無効制御文字を送信することに用いられ、
第３送信ユニットは、スレーブポートに無効制御文字を連続的に送信することに用いられる。
【００２１】
好ましくは、前記遠隔無線ユニットは、設定ユニットをさらに含み、
前記遠隔無線ユニットが非接続状態にある場合、
前記検出ユニットは、前記遠隔無線ユニットのうちの１つのポートで１つの有効制御文字を受信し、別の１つのポートで別の１つの有効制御文字を受信したことを検出した場合、設定ユニットをトリガすることにさらに用いられ、
設定ユニットは、優先度の高い有効制御文字を受信したポートをスレーブポートに設定とし、別のポートをマスタポートに設定することに用いられる。
【００２２】
好ましくは、前記遠隔無線ユニットが非接続状態にある場合、
前記検出ユニットは、前記遠隔無線ユニットのうちの１つのポートで有効制御文字を受信し、且つ別の１つのポートで有効制御文字を受信しなかったことを検出した場合、設定ユニットをトリガすることにさらに用いられ、
設定ユニットは、有効制御文字を受信したポートをスレーブポートに設定し、別のポートをマスタポートに設定することにさらに用いられる。
【００２３】
好ましくは、前記遠隔無線ユニットは、移行ユニットをさらに含み、
前記検出ユニットは、前記遠隔無線ユニットのスレーブポートの受信側におけるラインビット誤り率が所定の閾値範囲内にないことを検出した場合、移行ユニットをトリガすることにさらに用いられ、
移行ユニットは、前記遠隔無線ユニットを接続状態から非接続状態に移行させることに用いられる。
【００２４】
好ましくは、前記検出ユニットは、前記遠隔無線ユニットのスレーブポートで有効制御文字を受信しなかったことを検出した場合、移行ユニットをトリガすることにさらに用いられ、
移行ユニットは、前記遠隔無線ユニットを接続状態から非接続状態に移行させることにさらに用いられる。
【００２５】
本発明において、ＢＢＵにおける２つのポートがループネットワーク構造を構成する１組のポートとして機能し、複数のＲＲＵは、ＢＢＵにおける１組の２つのポートを介してループネットワーク構造を構成する。ＢＢＵは、ＢＢＵ自身の２つのポートそれぞれのラインビット誤り率が所定の閾値範囲内にあることを検出した場合、有効制御文字を送信し、ラインビット誤り率が所定の閾値範囲内にないことを検出した場合、無効制御文字を送信する。前記コア無線装置の２つのポートから送信される有効制御文字は、それぞれ異なる。ＲＲＵは、ＲＲＵ自身のマスタポートの受信側におけるラインビット誤り率が所定の閾値範囲内にあることを検出した場合、スレーブポートで受信された有効制御文字をマスタポートに転送し、ラインビット誤り率が所定の閾値範囲内にないことを検出した場合、マスタポートに無効制御文字を送信し、かつ、前記コア無線装置が、スレーブポートに無効制御文字を連続的に送信する。このような方法により、ループネットワークにおけるリンクまたはある特定のＲＲＵに障害が発生した場合に、リンクをタイムリーに切り替えることができ、これにより、障害が発生したリンクまたは障害が発生したＲＲＵの両側に配置されたＲＲＵが引き続き正常に動作できることを保証することが可能となる。
【図面の簡単な説明】
【００２６】
【図１】本発明に係るＢＢＵ及びＲＲＵのループネットワークトポロジ構造を示す図である。
【図２】本発明の実施形態におけるＲＲＵの動作状態の移行を示す図である。
【図３】本発明の実施形態におけるＢＢＵと２つのＲＲＵのリンク構築トポロジ構造を示す図である。
【図４】本発明の実施形態におけるＢＢＵと６つのＲＲＵのループネットワークトポロジ構造を示す図である。
【図５】本発明の実施形態における、リンク１が切断されてＲＲＵ＃１の状態が変化した後のループネットワークトポロジ構造を示す図である。
【図６】本発明の実施形態における、リンク１が切断されてＲＲＵ＃１／ＲＲＵ＃２／ＲＲＵ＃３の状態が変化した後のループネットワークトポロジ構造を示す図である。
【図７】本発明の実施形態における、ＲＲＵ＃３がＵｎｌｉｎｋｅｄ状態からＬｉｎｋｅｄ状態に移行した後のループネットワークトポロジ構造を示す図である。
【図８】本発明の実施形態における、各ＲＲＵの状態が切り替えられた後のループネットワークトポロジ構造を示す図である。
【発明を実施するための形態】
【００２７】
本発明の基本的な考えは、以下のようなものである。ＢＢＵにおける２つのポートがループネットワーク構造を構成する１組のポートとされ、複数のＲＲＵがＢＢＵにおける１組の２つのポートを介してループネットワーク構造を構成する。ＢＢＵは、ＢＢＵ自身の２つのポートのそれぞれのラインビット誤り率が所定の閾値範囲内にあることを検出した場合、有効制御文字を送信し、ラインビット誤り率が閾値範囲内にないことを検出した場合、無効制御文字を送信する。前記コア無線装置の２つのポートで送信される有効制御文字はそれぞれ異なる。ＲＲＵは、ＲＲＵ自身のマスタポートの受信側におけるラインビット誤り率が所定の閾値範囲内にあることを検出した場合、スレーブポートで受信された有効制御文字をマスタポートに転送し、ラインビット誤り率が所定の閾値範囲内にないことを検出した場合、マスタポートに無効制御文字を送信し、かつ、前記コア無線装置が、スレーブポートに無効制御文字を連続的に送信する。
【００２８】
本発明に係るループネットワーク切り替え方法では、まずＢＢＵとＲＲＵの間の制御チャネルで伝送される制御文字が定義される。当該制御文字は、制御文字Ａ、制御文字Ｂ、制御文字Ｆに分類される。制御文字Ａ／Ｂは、有効制御文字であり、制御文字Ｆは、無効制御文字である。制御文字Ａ／Ｂ／Ｆは、互いに異なっている必要があり、且つ制御文字Ａと制御文字Ｂの優先度は要求に応じて設定することができる。つまり、本発明の技術的なスキームでは、制御文字Ａ／Ｂの優先度を設定することで、ループネットワークにおけるＲＲＵ状態に対する制御を柔軟に実現することができる。
【００２９】
本発明では、ＲＲＵの稼働状態は、以下の２種類の状態に分けることができる。
接続（Ｌｉｎｋｅｄ）状態：つまり、ＲＲＵとＢＢＵとの間でリンクが首尾よく構築されている状態。
非接続（Ｕｎｌｉｎｋｅｄ）状態：つまり、ＲＲＵとＢＢＵとの間で、リンクが構築さていない状態。
【００３０】
無線通信システムにおいて、ＢＢＵとＲＲＵは、それぞれラインに対してラインビット誤り率の検出を行う。ラインビット誤り率が或る所定の閾値を超えると、当該リンクが、異常だとみなされる。
【００３１】
本発明において、いわゆるＬｉｎｋｅｄ状態とは、ＲＲＵとＢＢＵの間に通信リンクが構築されていることを意味し、Ｕｎｌｉｎｋｅｄ状態とは、ＲＲＵとＢＢＵの間に通信リンクが構築されていないまたは構築されたリンクが使用不能であること（例えばラインビット誤り率が所定の閾値範囲を超えたこと）を意味している。本発明では、ラインビット誤り率の閾値範囲は、一つの具体的なラインビット誤り率閾値であり、即ちラインビット誤り率が当該閾値を超えない場合には、現在の通信リンクが良いとみなされ、一方で、ラインビット誤り率が当該閾値より高い場合には、現在の通信リンクに障害があり使用不能であるとみなされる。もちろん、要求に応じて閾値範囲を設定することもでき、当該設定された閾値範囲内のラインビット誤り率だけが現在の通信リンクが正常であることを示すとみなされ、それ以外の場合は、現在の通信リンクが異常であり、リンクに障害があるとみなされる。
【００３２】
図１は本発明のＢＢＵ及びＲＲＵのループネットワークトポロジ構造を示す図である。図１に示すように、本発明に係るＢＢＵとＲＲＵから構成されるループネットワークのネットワーキング方式は、以下のようなものである。
【００３３】
ＢＢＵにおけるＰ０／Ｐ１の２つのポートが１組のループネットワークポートとして機能し、本発明では、この２つのポートが両方ともＭａｓｔｅｒポートとして機能する。ＲＲＵのＰ０／Ｐ１の２つのポートはＲＲＵがＬｉｎｋｅｄ状態にある場合に、それぞれ、Ｍａｓｔｅｒポート、Ｓｌａｖｅポートとして機能し、Ｕｎｌｉｎｋｅｄ状態にある場合に、デフォルトのＰ０／Ｐ１ポートとして機能する（Ｐ０／Ｐ１ポートがＭａｓｔｅｒポートおよびＳｌａｖｅポートに分けられていない）。同図において、ＲＲＵ＃１〜ＲＲＵ＃ｎは、順次接続されており、ＲＲＵ＃１及びＲＲＵ＃ｎは、それぞれＢＢＵにおけるＰ０ポートとＰ１ポートに接続されている。本発明では、ＲＲＵにおけるマスタポート、スレーブポートは、具体的な状況によって設定される必要がある。
【００３４】
図２は本発明におけるＲＲＵの動作状態の移行を示す図である。図２に示すように、ＲＲＵは、２種類の移行状態があり、それぞれＵｎｌｉｎｋｅｄ状態からＬｉｎｋｅｄ状態への移行、Ｌｉｎｋｅｄ状態からＵｎｌｉｎｋｅｄ状態への移行である。図２の（１）、（２）、（３）、（４）は４つの移行条件を示し、この移行条件について以下でそれぞれ説明する。
【００３５】
本発明に係るループネットワーク切り替え方法において、ＢＢＵとＲＲＵは、異なる制御文字送信ルールを有する。
【００３６】
ＢＢＵ側の制御文字送信ルール：  Ｍａｓｔｅｒポートにおいてラインビット誤り率が所定の閾値範囲内にあることを検出した場合、当該ポートの送信側に有効制御文字Ａ／Ｂを送信し、ラインビット誤り率が所定の閾値範囲内にない場合は、無効制御文字Ｆを送信する。ＢＢＵの２つのＭａｓｔｅｒポートから送信される有効制御文字はそれぞれ異なっており、即ちＰ０ポートから制御文字Ａが送信された場合には、Ｐ１ポートから制御文字Ｂが送信される。
【００３７】
Ｌｉｎｋｅｄ状態にあるＲＲＵの制御文字送信ルールと、ＵｎＬｉｎｋｅｄ状態にあるＲＲＵの制御文字送信ルールとは、それぞれ異なっている。
【００３８】
Ｌｉｎｋｅｄ状態の場合のＲＲＵの制御文字送信ルール：  Ｍａｓｔｅｒポートの受信側におけるラインビット誤り率が所定の閾値範囲内にあることを検出した場合、Ｓｌａｖｅポートで受信された有効制御文字Ａ／ＢをＭａｓｔｅｒポートに転送し、ラインビット誤り率が所定の閾値範囲内にない場合は、Ｍａｓｔｅｒポートに無効文字Ｆを送信し、また、ＲＲＵはＳｌａｖｅポートに無効文字Ｆを連続的に送信する。
【００３９】
Ｕｎｌｉｎｋｅｄ状態の場合のＲＲＵの制御文字送信ルール：  ＲＲＵがＰ０／Ｐ１の２つのポートに無効文字Ｆを送信する。
【００４０】
本発明のループネットワークの切り替え方法において、ＲＲＵがＵｎｌｉｎｋｅｄ状態からＬｉｎｋｅｄ状態に移行するトリガ条件は、以下の通りである。
【００４１】
（１）Ｐ０／Ｐ１ポートにおいて同時に制御文字Ａと制御文字Ｂを受信した場合、ＲＲＵは、優先度が高い有効制御文字を受信したポートに優先的に切り替えられ、そしてこのポートをＳｌａｖｅポートに設定し、別のポートをＭａｓｔｅｒポートに設定する。これにより、ＲＲＵの状態が、ＵｎｌｉｎｋｅｄからＬｉｎｋｅｄに移行される。
【００４２】
（２）Ｐ０／Ｐ１のうちの１つのポートで制御文字Ａまたは制御文字Ｂを受信し、かつ別のポートで有効制御文字Ａまたは制御文字Ｂを受信しなかった場合、ＲＲＵは、有効制御文字Ａまたは制御文字Ｂを受信したポートに切り替えられ、そして有効制御文字Ａまたは制御文字Ｂを受信したポートをＳｌａｖｅポートに設定し、別のポートをＭａｓｔｅｒポートに設定する。これにより、ＲＲＵの状態が、ＵｎｌｉｎｋｅｄからＬｉｎｋｅｄに移行される。
【００４３】
ＲＲＵが、Ｌｉｎｋｅｄ状態からＵｎｌｉｎｋｅｄ状態に移行するトリガ条件は以下の通りである。
【００４４】
（３）現在のＳｌａｖｅポートの受信側において、ラインビット誤り率が所定の閾値範囲内にないことを検出した場合、ＲＲＵの状態は、Ｌｉｎｋｅｄ状態からＵｎｌｉｎｋｅｄ状態に移行する。
【００４５】
（４）現在のＳｌａｖｅポートにおいて、Ｓｌａｖｅポートを決定するために用いられる有効制御文字Ａまたは制御文字Ｂを検出しなかった場合、ＲＲＵは、Ｌｉｎｋｅｄ状態からＵｎｌｉｎｋｅｄ状態に移行する。
【００４６】
上述の移行方式によって、ループネットワークにおける各ＲＲＵが、最終的にＲＲＵ自身の２つのポートで受信された制御文字及びＲＲＵ状態に応じて切り替えられるので、マルチステージＲＲＵを含むループネットワークの切り替え機能が実現される。
【００４７】
以降では、具体的な実施形態を参照して、本発明に係るループネットワークにおけるＢＢＵ及びＲＲＵ間のリンク構築におけるステップ（リンク及び各ＲＲＵが正常であると仮定する）を詳しく説明する。
【００４８】
図３は本発明の実施形態におけるＢＢＵと２つのＲＲＵのリンク構築トポロジ構造を示す図である。図３に示すように、ＢＢＵは、２つのＲＲＵ（ＲＲＵ＃１、ＲＲＵ＃６）にのみ接続されている。具体的には、ＲＲＵ＃１はリンク１を介してＢＢＵのＰ０ポートに接続され、ＲＲＵ＃６はリンク２を介してＢＢＵのＰ１ポートに接続されている。なお、ＲＲＵ＃１とＲＲＵ＃６のＰ１ポートには他のネットワーク装置（ＲＲＵ）は接続されていない。ＲＲＵのデフォルト初期状態は全てＵｎｌｉｎｋｅｄ状態である。ＢＢＵがＰ０に有効制御文字Ａ（０ｘ３６）を送信し、Ｐ１ポートに有効制御文字Ｂ（０ｘＣ９）、無効制御文字Ｆ（０ｘＦＦ）を送信すると仮定する。
【００４９】
ＢＢＵのＰ０ポートの受信側においてリンク２とリンク１４のラインビット誤り率（ラインビット誤り率の閾値が１０Ｅ−５であると仮定する）を検出する。リンクが正常であるので、ラインビット誤り率が所定の閾値範囲内（１０Ｅ−５を超えない）であり、ＢＢＵは、それぞれＰ０ポートに制御文字Ａを送信し、Ｐ１ポートに制御文字Ｂを送信する。
【００５０】
ＲＲＵ＃１がリンク１で首尾よく制御文字Ａを受信し、かつＰ１ポートから他の有効制御文字（制御文字Ｂ）を受信しなかった場合、Ｐ０ポートをＳｌａｖｅポートに設定し、Ｐ１ポートをＭａｓｔｅｒポートに設定する。そして、ＲＲＵ＃１は、Ｕｎｌｉｎｋｅｄ状態からＬｉｎｋｅｄ状態に移行する。ＲＲＵ＃１は、Ｓｌａｖｅポートに制御文字Ｆを送信し、Ｍａｓｔｅｒポートに他の装置が接続されていないので、Ｍａｓｔｅｒの受信側においてラインビット誤り率が所定の閾値を超えることを検出し、これにより、ＲＲＵ＃１は、Ｐ１に無効制御文字Ｆを送信する。ＲＲＵ＃６の状態変化は、ＲＲＵ＃１の状態変化と同じである。
【００５１】
図４は本発明の実施形態におけるＢＢＵと６つのＲＲＵのループネットワークトポロジ構造を示す図である。図４に示すように、ＢＢＵは、６つのＲＲＵに接続されている。当該トポロジ構造の接続プロセスにおいて、まず、図３に示すトポロジ構造に対して、ＲＲＵ＃２及びＲＲＵ＃５の接続が行われるが、このときのＲＲＵ＃２及びＲＲＵ＃５の状態変化はＲＲＵ＃１及びＲＲＵ＃６の状態変化と同じであるので、ここでは、そのリンク構築の詳細を繰り返して説明しない。
【００５２】
ＲＲＵ＃２及びＲＲＵ＃５が接続されたトポロジ構造に対して、さらに、ＲＲＵ＃３及びＲＲＵ＃４が接続される。このときのＲＲＵ＃３とＲＲＵ＃４の状態変化もＲＲＵ＃１及びＲＲＵ＃６の状態変化と同じであるため、そのリンク構築の詳細を繰り返して説明しない。
【００５３】
ＲＲＵ＃３及びＲＲＵ＃４は、リンク７とリンク８が接続される時点では既にＬｉｎｋｅｄ状態にあるので、ＲＲＵの状態移行原理に応じて、リンク７とリンク８に接続したとしても、ＲＲＵ＃３とＲＲＵ＃４は、それぞれ２つの有効制御文字Ａと文字Ｂを受信するが、ＲＲＵ＃３は、Ｌｉｎｋｅｄ−Ａ状態（Ｌｉｎｋｅｄ状態であり、かつ有効制御文字Ａを受信する方向に切り替えられる）になり、ＲＲＵ＃４は、Ｌｉｎｋｅｄ−Ｂ状態（Ｌｉｎｋｅｄ状態であり、かつ有効制御文字Ｂを受信する方向に切り替えられる）になる。このような切り替え方法により、ループネットワークにおけるＢＢＵと６つのＲＲＵのリンク構築が完了する。
【００５４】
ループネットワークにおけるＢＢＵと６つのＲＲＵのトポロジ構造が完成した後に、或るリンクが切断された場合の各ＲＲＵの切り替えプロセスについて説明する。本実施形態においてリンク１が切断されることを例にする。
【００５５】
図５は本発明の実施形態におけるリンク１が切断されてＲＲＵ＃１の状態が変化した後のループネットワークトポロジ構造を示す図である。図５に示すように、リンク１が切断されたと仮定すると、ＲＲＵ＃１が、Ｐ０ポートのラインビット誤り率が所定の閾値を超え、かつ制御文字Ａを受信しなかったことを検出する。上述のリンク状態移行条件により、このとき、ＲＲＵ＃１は、Ｌｉｎｋｅｄ状態からＵｎｌｉｎｋｅｄ状態に移行し、そしてＰ１ポートに制御文字Ｆを送信する。図の枠内のＸマーク付きのＲＲＵは、当該ＲＲＵがＵｎｌｉｎｋｅｄ状態にあることを示している。
【００５６】
図６は本発明の実施形態における、リンク１が切断されてＲＲＵ＃１／ＲＲＵ＃２／ＲＲＵ＃３の状態が変化した後のループネットワークトポロジ構造を示す図である。図６に示すように、ＲＲＵ＃２がＰ０で受信された制御文字が無効文字Ｆになったことを検出した場合、状態移行原理により、このとき、ＲＲＵ＃２は、Ｌｉｎｋｅｄ状態からＵｎｌｉｎｋｅｄ状態に移行し、そしてＰ１ポートに無効文字Ｆを送信する。ＲＲＵ＃３の状態変化は、ＲＲＵ＃２の状態変化と同様にして行われる。
【００５７】
リンク１が切断された場合、ＲＲＵ＃１、ＲＲＵ＃２、ＲＲＵ＃３は全てＬｉｎｋｅｄ状態からＵｎｌｉｎｋｅｄ状態に変化する。
【００５８】
図７は本発明の実施形態における、ＲＲＵ＃３がＵｎｌｉｎｋｅｄ状態からＬｉｎｋｅｄ状態に移行した後のループネットワークトポロジ構造を示す図である。図７に示すように、ＲＲＵ＃３の状態がＵｎｌｉｎｋｅｄ状態になった後、ＲＲＵ＃３は、Ｐ１ポートの受信側においてリンク８で有効制御文字Ｂを首尾よく受信し、Ｐ０ポートで無効制御文字Ｆを受信する。これにより、ＲＲＵ＃３は、Ｐ１ポートをＳｌａｖｅポートに設定し、Ｐ０ポートをＭａｓｔｅｒポートに設定し、その後、ＲＲＵ＃３は、Ｕｎｌｉｎｋｅｄ状態からＬｉｎｋｅｄ状態に移行し、そしてＳｌａｖｅポートに制御文字Ｂを送信する。
【００５９】
図８は本発明の実施形態における、各ＲＲＵの状態が切り替えられた後のループネットワークトポロジ構造を示す図である。図８に示すように、ＲＲＵ＃２が、Ｐ１ポートで受信された制御文字が有効文字Ｂになったことを検出した場合、このときＲＲＵ＃２は、状態移行原理により、Ｕｎｌｉｎｋｅｄ状態からＬｉｎｋｅｄ状態に移行する。そして、ＲＲＵ＃２は、Ｐ１ポートをＳｌａｖｅポートに設定し、Ｐ０ポートをＭａｓｔｅｒポートに設定し、そしてＰ０ポートに制御文字Ｂを送信する。
【００６０】
ＲＲＵ＃１が、Ｐ１ポートから受信された制御文字が有効文字Ｂになったことを検出した場合、このとき、ＲＲＵ＃１は、状態移行原理により、Ｕｎｌｉｎｋｅｄ状態からＬｉｎｋｅｄ状態に移行する。そして、ＲＲＵ＃１は、Ｐ１ポートをＳｌａｖｅポートに設定し、Ｐ０ポートをＭａｓｔｅｒポートに設定する。ＲＲＵ＃１のＭａｓｔｅｒポートで受信されたラインビット誤り率は所定の閾値を超えるので、制御文字送信ルールにより、ＲＲＵ＃１がは、引き続きＭａｓｔｅｒポートに無効文字Ｆを送信する。
【００６１】
本発明は、同時にループネットワークにおける無線装置の切り替えシステムを開示する。前記無線装置は、コア無線装置及び遠隔無線装置を含み、前記コア無線装置及び２つ以上の前記遠隔無線装置は、前記無線装置の２つのポートを介して接続されてループネットワークを構成する。
【００６２】
前記コア無線装置は、コア無線装置の２つのポートのラインビット誤り率が所定の閾値範囲内にあることを検出した場合、２つのポートからそれぞれ異なる有効制御文字を送信し、ラインビット誤り率が所定の閾値範囲内にないことを検出した場合、無効制御文字を送信することに用いられる。
【００６３】
前記遠隔無線装置は、遠隔無線装置のマスタポートの受信側におけるラインビット誤り率が所定の閾値範囲内にあることを検出した場合、スレーブポートで受信された有効制御文字をマスタポートに転送し、設定された閾値範囲にないことを検出した場合、マスタポートで無効文字を送信することに用いられ、且つ、スレーブポートに無効制御文字を連続的に送信することに用いられる。
【００６４】
ここで、非接続状態において、前記遠隔無線装置は、遠隔無線装置のうちの１つのポートで１つの有効制御文字を受信し、別の１つのポートで別の１つの有効制御文字を受信したことを検出した場合、優先度の高い有効制御文字を受信したポートをスレーブポートとし、別のポートをマスタポートとすることにさらに用いられる。
【００６５】
ここで、非接続状態において、前記遠隔無線装置は、遠隔無線装置のうちの１つのポートで有効制御文字を受信し、かつ別の１つのポートで有効制御文字を受信しなかったことを検出した場合、有効制御文字を受信したポートをスレーブポートとし、別のポートをマスタポートとすることにさらに用いられる。
【００６６】
ここで、前記遠隔無線装置は、遠隔無線装置のスレーブポートの受信側におけるラインビット誤り率が所定の閾値範囲内にないことを検出した場合、接続状態から非接続状態に移行することにさらに用いられる。
【００６７】
ここで、前記遠隔無線装置は、遠隔無線装置のスレーブポートで有効制御文字を受信しなかったことを検出した場合、接続状態から非接続状態に移行することにさらに用いられる。
【００６８】
前記遠隔無線装置は、遠隔無線装置が非接続状態にあると判断した場合、遠隔無線装置の２つのポートから無効制御文字を送信することにさらに用いられる。
【００６９】
本発明のループネットワーク無線装置の切り替えシステムでは、前記コア無線装置は、ＢＢＵであり、前記遠隔無線装置は、ＲＲＵである。本発明のループネットワークにおける無線装置の切り替えシステムについて、一例として、ＢＢＵ及びＲＲＵから構成されるループネットワーク構造を例に挙げて説明を行ったが、当然、ＢＢＵ及びＲＲＵから構成されるループネットワーク構造に限られず、ＲＮＣ及び基地局により構成されるネットワークや、基地局及び中継局により構成されるネットワークに応用することもできる。
【００７０】
本発明のループネットワーク無線装置の切り替えシステムについては、上述の図１〜図８に示す構造を参照することによって理解することができる。
【００７１】
本発明のビルディングベースバンド処理ユニットは、検出ユニット、第１送信ユニット、第２送信ユニット及び少なくとも２つのポートを含む。
【００７２】
前記少なくとも２つのポートは、ＲＲＵを含むループネットワークに接続されるインタフェースとして用いられる。
【００７３】
検出ユニットは、ループネットワークを構成する２つのポートそれぞれのラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニットをトリガすることに用いられる。
【００７４】
第１送信ユニットは、ループネットワークを構成する２つのポートにそれぞれ異なる有効制御文字を送信することに用いられる。
【００７５】
第２送信ユニットは、ループネットワークを構成する２つのポートに無効制御文字を送信することに用いられる。
【００７６】
当業者であれば、本発明のビルディングベースバンド処理ユニットにおける各処理ユニットの実現機能について、上述のループネットワークにおける無線装置の切り替え方法及び切り替えシステムに関する説明を参照することによって理解することができると理解されるであろう。本発明のビルベースバンド処理ユニットにおける各処理ユニットの機能は、プロセッサで動作するプログラムにより実現することができ、具体的な論理回路により実現することもできる。
【００７７】
本発明の遠隔無線ユニットは、検出ユニット、第１送信ユニット、第２送信ユニット及び第３送信ユニットを含む。
【００７８】
検出ユニットは、マスタポートの受信側におけるラインビット誤り率が所定の閾値範囲内にあるかどうかを検出し、ラインビット誤り率が所定の閾値範囲内にある場合、第１送信ユニットをトリガし、ラインビット誤り率が所定の閾値範囲内にない場合、第２送信ユニットをトリガすることに用いられる。
【００７９】
第１送信ユニットは、スレーブポートで受信された有効制御文字をマスタポートに送信することに用いられる。
【００８０】
第２送信ユニットは、マスタポートに無効制御文字を送信することに用いられる。
【００８１】
第３送信ユニットは、スレーブポートに無効制御文字を連続的に送信することに用いられる。
【００８２】
前記遠隔無線ユニットは、設定ユニットをさらに含み、前記遠隔無線ユニットが非接続状態にある場合、
前記検出ユニットは、前記遠隔無線ユニットのうちの１つのポートで１つの有効制御文字を受信し、別の１つのポートで別の１つの有効制御文字を受信したことを検出した場合、設定ユニットをトリガすることにさらに用いられ、
設定ユニットは、優先度の高い有効制御文字を受信したポートをスレーブポートに設定し、別のポートをマスタポートに設定することに用いられる。
【００８３】
ここで、前記遠隔無線ユニットが非接続状態にある場合、
前記検出ユニットは、前記遠隔無線ユニットのうちの１つのポートで有効制御文字を受信し、かつ別の１つのポートで有効制御文字を受信しなかったことを検出した場合、設定ユニットをトリガすることにさらに用いられる。
設定ユニットは、有効制御文字を受信したポートをスレーブポートに設定し、別のポートをマスタポートに設定することにさらに用いられる。
【００８４】
本発明の遠隔無線ユニットは、移行ユニットをさらに含む。
前記検出ユニットは、前記遠隔無線ユニットのスレーブポートの受信側におけるラインビット誤り率が所定の閾値範囲内にないことを検出した場合、移行ユニットをトリガすることさらに用いられる。
移行ユニットは、前記遠隔無線ユニットを接続状態から非接続状態に移行させることに用いられる。
【００８５】
または、前記検出ユニットは、前記遠隔無線ユニットのスレーブポートで有効制御文字を受信しなかったことを検出した場合、移行ユニットをトリガすることにさらに用いられる。
移行ユニットは、前記遠隔無線ユニットを接続状態から非接続状態に移行させることにさらに用いられる。
【００８６】
当業者であれば、本発明の遠隔無線ユニットにおける各処理ユニットの実現機能にについて、上述のループネットワーク装置の切り替え方法及び切り替えシステムに関連する説明を参照することによって理解することができることを理解されるであろう。本発明の遠隔無線ユニットにおける各処理ユニットの機能についてプロセッサ上に動作するプログラムにより実現することができ、具体的な論理回路により実現することもできる。
【００８７】
以上の説明は、本発明の好ましい実施形態に過ぎず、本発明の保護範囲を限定することに用いられるものではない。
【産業上の利用可能性】
【００８８】
本発明により、ループネットワークにおけるリンクまたは或る特定のＲＲＵに障害が発生した場合に、リンクをタイムリーに切り替えることができ、これにより、障害が発生したリンクまたは障害が発生したＲＲＵの両側に配置されたＲＲＵが引き続き正常に動作できることを保証することが可能となる。
【図１】
0005771333.tif 000002
【図２】
0005771333.tif 000003
【図３】
0005771333.tif 000004
【図４】
0005771333.tif 000005
【図５】
0005771333.tif 000006
【図６】
0005771333.tif 000007
【図７】
0005771333.tif 000008
【図８】
0005771333.tif 000009